(57)【要約】      （修正有）【課題】ヘッド本体の上面にゴルフボール大の円形標を３個並べてパッティングの正確性を飛躍的に向上できるゴルフ用パターヘッドを提供する。【解決手段】ヘッド本体１に取り付けられる一つの延出片４と、左右一対の翼片５とを有する。延出片４は、ヘッド本体１側に退入する待機姿勢と、ヘッド本体１の後方に突出する使用姿勢とに出退操作できる。各翼片５は、ヘッド本体１側に退避する退避姿勢と、ヘッド本体１の左右の外側方に突出する突出姿勢とにわたって回動自在である。延出片４を待機姿勢から使用姿勢に切り換えると、各翼片５も退避姿勢から突出姿勢に切り換わる。ヘッド本体１の上面には、２個の円形標８ａ・８ｂを設け、延出片４の上面に第３の円形標８ｃを設ける。突出姿勢にある両翼片５の突出端間の最大左右幅寸法Ｔ1 は、使用姿勢にある延出片４の後端とフェース６との間の最大前後長さ寸法Ｔ2 よりも大きく設定されている。【選択図】図２
0003116722.tif 000002
【実用新案登録請求の範囲】
【請求項１】
ヘッド本体（１）に、打球方向を標示するための標示手段を備えており、
標示手段が、ヘッド本体（１）に取り付けられてヘッド本体（１）の上面の後方に延びる延出片（４）と、ヘッド本体（１）に取り付けられてヘッド本体（１）の左右外側方に延びる左右の翼片（５）・（５）とを含み、
ヘッド本体（１）に対して延出片（４）が、ヘッド本体（１）側に退く待機姿勢と、ヘッド本体（１）の後方に突出する使用姿勢とにわたって出退操作可能であり、
ヘッド本体（１）に対して左右の各翼片（５）・（５）が、ヘッド本体（１）側に退避する退避姿勢と、ヘッド本体（１）の左右の外側方に突出する突出姿勢とにわたって出退自在であり、
延出片（４）を前記待機姿勢から前記使用姿勢に切り換え操作したとき、これに連動して左右の各翼片（５）・（５）を前記退避姿勢から前記突出姿勢に切り換えるとともに、延出片（４）を前記使用姿勢から前記待機姿勢に切り換え操作したとき、これに連動して左右の各翼片（５）・（５）を前記突出姿勢から前記退避姿勢に切り換える連動機構を有し、
ヘッド本体（１）の上面に２個の円形標（８ａ）・（８ｂ）が、前記使用姿勢にしたときの延出片（４）の外側上面に１個の円形標（８ｃ）がそれぞれ表記されており、
３個の円形標（８ａ）・（８ｂ）・（８ｃ）は、それぞれの直径がゴルフボール大に寸法設定されており、
ヘッド本体（１）に対して延出片（４）を前記使用姿勢にした状態において、３個の各円形標（８ａ）・（８ｂ）・（８ｃ）は、それぞれの中心がヘッド本体（１）のフェース（６）と直交して該フェース（６）の中心を通る仮想線上にあって、前後方向に一定の隣接間隔を以て配されており、
前記突出姿勢にあるときの両翼片（５）・（５）の突出端間の最大左右幅寸法（Ｔ1 ）が、前記使用姿勢にあるときの延出片（４）の後端と前記フェース（６）との間の最大前後長さ寸法（Ｔ2 ）よりも大きく設定されていることを特徴とする標示手段付きパターヘッド。
【請求項２】
ヘッド本体（１）に対して延出片（４）が、ヘッド本体（１）の中空内部に退入する前記待機姿勢と、ヘッド本体（１）の後方に引き出された前記使用姿勢とにわたって出退操作可能であり、
ヘッド本体（１）に対して延出片（４）を前記待機姿勢と前記使用姿勢とにおいてそれぞれ位置決め保持するシフト手段を備えている請求項１記載の標示手段付きパターヘッド。
【請求項３】
ヘッド本体（１）に、打球方向を標示するための標示手段を備えており、
標示手段が、ヘッド本体（１）の外側上面に着脱自在に装着される標示カバー（２）を含み、
標示カバー（２）が、パター本体１の上面に被さる主面部（１４）と、主面部（１４）につながりヘッド本体（１）の後方に延びる後方延出部（１５）と、主面部（１４）につながりヘッド本体（１）の左右外側方に延びる左右の側方延出部（１６）・（１６）とを有し、
ヘッド本体（１）の上面に、標示カバー（２）の主面部（１４）に設けた切欠き（１７）を介して上方から視認できる２個の円形標（８ａ）・（８ｂ）が表記されているとともに、標示カバー（２）の後方延出部（１５）の上面に、１個の円形標（８ｃ）が表記されており、
３個の円形標（８ａ）・（８ｂ）・（８ｃ）は、それぞれの直径がゴルフボール大に寸法設定されており、
３個の各円形標（８ａ）・（８ｂ）・（８ｃ）は、それぞれの中心がヘッド本体（１）のフェース（６）と直交して該フェース（６）の中心を通る仮想線上にあって、前後方向に一定の隣接間隔を以て配されており、
標示カバー（２）における両側方延出部（１６）・（１６）の延出端間の最大左右幅寸法（Ｔ1 ）が、前記フェース（６）と後方延出部（１５）の後端との間の最大前後長さ寸法（Ｔ2 ）よりも大きく設定されていることを特徴とする標示手段付きパターヘッド。
【請求項４】
ヘッド本体（１）に、打球方向を標示するための標示手段を備えており、
標示手段が、ヘッド本体（１）の外側上面に着脱自在に装着される標示カバー（２）を含み、
標示カバー（２）が、ヘッド本体（１）の上面に被さる主面部（１４）と、主面部（１４）につながりヘッド本体（１）の後方に延びる後方延出部（１５）と、主面部（１４）につながりヘッド本体（１）の左右外側方に延びる左右の側方延出部（１６）・（１６）とを有し、
標示カバー（２）の主面部（１４）の上面に２個の円形標（８ａ）・（８ｂ）が、後方延出部（１５）の上面に１個の円形標（８ｃ）がそれぞれ表記されており、
３個の円形標（８ａ）・（８ｂ）・（８ｃ）は、それぞれの直径がゴルフボール大に寸法設定されており、
３個の各円形標（８ａ）・（８ｂ）・（８ｃ）は、それぞれの中心がヘッド本体（１）のフェース（６）と直交して該フェース（６）の中心を通る仮想線上にあって、前後方向に一定の隣接間隔を以て配されており、
標示カバー（２）における両側方延出部（１６）・（１６）の延出端間の最大左右幅寸法（Ｔ1 ）が、前記フェース（６）と後方延出部（１５）の後端との間の最大前後長さ寸法（Ｔ2 ）よりも大きく設定されていることを特徴とする標示手段付きパターヘッド。
【請求項５】
前記仮想線上には、前後方向に並ぶ３個の円形標（８ａ）・（８ｂ）・（８ｃ）上を通る直線標（９）が表記されている請求項１ないし４のいずれかに記載の標示手段付きパターヘッド。
【考案の詳細な説明】
【技術分野】
【０００１】
本考案は、ヘッド本体の外側上面に打球方向を標示するための標示手段を備えているゴルフ用の標示手段付きパターヘッドに関する。
【背景技術】
【０００２】
この種のパターヘッドでは、ゴルフボールに対してヘッド本体のフェース中心を正しい向きで当てることが肝要である。
【０００３】
そのための手助けとして、ヘッド本体の上面にフェース中心と直交する直線標やゴルフボール大の円形標を入れることが、特許文献１〜４に公知である。
【０００４】
【特許文献１】特開平１１−３４２２３１号公報（段落番号００１４、図９）
【特許文献２】登録実用新案第３０９９１１７号公報（段落番号００１７、図１）
【特許文献３】特開２００４−３５１１７７号公報（段落番号００１４、図１）
【特許文献４】実開平６−７７７６６号公報（段落番号０００６、図３）
【考案の開示】
【考案が解決しようとする課題】
【０００５】
上記の標示手段の問題点は、ヘッド本体の上面の前後長さ寸法が不足していることにある。例えば、ヘッド本体の上面には、せいぜい２個の円形標を前後に並べて表記できるに過ぎない。円形標は、これが３個表記されておれば、視覚的にみて２個の場合よりも飛躍的にパッティングの正確性を期すことができる。
【０００６】
この点に関し、特許文献１では、ヘッド本体の上面後方に本考案で言うところの「延出片」を必要に応じて延長操作できるようになっており、この点が注目される。尤も、前記延出片は、これの形状自体を標記手段に利用するに過ぎず、該当の延出片に第３の円形標ないし直線標を入れることまでは想定されていない。同種の形態は特許文献４にも認められる。
【０００７】
更に、特許文献１、４の形態では、初期の目的を達成しようとすると、延長状態にした前記延出片を含むヘッド本体の前後長さ寸法が、ヘッド本体の左右幅寸法よりも大になる事態が予測され、これはゴルフ規則に違反することになる。
【０００８】
そこで本考案の目的は、ヘッド本体の上面にゴルフボール大の円形標を３個並べてパッティングの正確性を飛躍的に向上できるゴルフ用パターヘッドを提供することにある。
【０００９】
本考案の他の目的は、ヘッド本体上の標示手段が不使用時に嵩張って邪魔にならないようにする一方、使用時にはゴルフ規則にも適合できるようにしたパターヘッドを得るにある。
【課題を解決するための手段】
【００１０】
請求項１記載の本考案に係るパターヘッドは、図１および図２に示すごとくヘッド本体１に打球方向を標示するための標示手段を備えている。その標示手段は、ヘッド本体１に取り付けられてヘッド本体１の上面の後方に延びる延出片４と、ヘッド本体１に取り付けられてヘッド本体１の左右外側方に延びる左右の翼片５・５とを含む。
【００１１】
ヘッド本体１に対して延出片４は、ヘッド本体１側に退く図１の待機姿勢と、ヘッド本体１の後方に突出する図２の使用姿勢とにわたって出退操作可能である。その際、延出片４は待機姿勢においてヘッド本体１の中空内部に退入するようにし、ヘッド本体１に対して延出片４を前記待機姿勢と前記使用姿勢とにおいてそれぞれ位置決め保持するシフト手段を備えていることが望ましい（請求項２）。
【００１２】
ヘッド本体１に対して左右の各翼片５・５は、ヘッド本体１側に退避する図１の退避姿勢と、ヘッド本体１の左右の外側方に突出する図２の突出姿勢とにわたって出退自在にする。
【００１３】
かくして、延出片４を前記待機姿勢から前記使用姿勢に切り換え操作したとき、これに連動して左右の各翼片５・５を前記退避姿勢から前記突出姿勢に切り換えるとともに、延出片４を前記使用姿勢から前記待機姿勢に切り換え操作したとき、これに連動して左右の各翼片５・５を前記突出姿勢から前記退避姿勢に切り換える連動機構を有する。この連動機構として、図示例ではラック・ピニオン機構を用いた。
【００１４】
更に、ヘッド本体１の上面には２個の円形標８ａ・８ｂが、前記使用姿勢にしたときの延出片４の外側上面には１個の円形標８ｃがそれぞれ表記されており、これら３個の円形標８ａ・８ｂ・８ｃは、それぞれの直径がゴルフボール大に寸法設定されている。ヘッド本体１に対して延出片４を前記使用姿勢にシフトした状態において、３個の各円形標８ａ・８ｂ・８ｃは、それぞれの中心がヘッド本体１のフェース６と直交して該フェース６の中心を通る仮想線上にあって、前後方向に一定の隣接間隔を以て配されている。
【００１５】
そのうえで、図２の前記突出姿勢にあるときの両翼片５の突出端間の最大左右幅寸法Ｔ1 は、図２の前記使用姿勢にあるときの延出片４の後端と前記フェース６との間の最大前後長さ寸法Ｔ2 よりも大きく設定されていることを特徴とする。
【００１６】
請求項３記載の本考案に係るパターヘッドは、図３および図４に示すごとく、ヘッド本体１に打球方向を標示するための標示手段を備えている。その標示手段はヘッド本体１の外側上面に装着される標示カバー２を含む。
【００１７】
図４において標示カバー２は、パター本体１の上面に被さる主面部１４と、主面部１４につながりヘッド本体１の後方に延びる後方延出部１５と、主面部１４につながりヘッド本体１の左右外側方に延びる左右の側方延出部１６・１６とを有する。
【００１８】
ヘッド本体１の上面には、標示カバー２の主面部１４に設けた切欠き７を介して上方から視認できる２個の円形標８ａ・８ｂが表記されているとともに、標示カバー２の後方延出部１５の上面には、１個の円形標８ｃが表記されている。３個の円形標８ａ・８ｂ・８ｃは、それぞれの直径がゴルフボール大に寸法設定されており、これら３個の各円形標８ａ・８ｂ・８ｃは、それぞれの中心がヘッド本体１のフェース６と直交して該フェース６の中心を通る仮想線上にあって、前後方向に一定の隣接間隔を以て配されている。
【００１９】
かくして、標示カバー２における両側方延出部１６・１６の延出端間の最大左右幅寸法Ｔ1 が、前記フェース６と後方延出部１５の後端との間の最大前後長さ寸法Ｔ2 よりも大きく設定されていることを特徴とする。
【００２０】
請求項４記載の本考案は、請求項３記載のパターヘッドにおいて、図５に示すごとく前記標示カバー２に切欠き１７を設けずに、標示カバー２の主面部１４の上面に２個の円形標８ａ・８ｂを、後方延出部１５の上面に１個の円形標８ｃをそれぞれ表記してあり、他は請求項３記載のパターヘッドと同じになっている。
【００２１】
請求項５記載の本考案は、請求項１ないし４記載のパターヘッドにおいて、前記仮想線上に、前後方向に並ぶ３個の円形標８ａ・８ｂ・８ｃ上を通る直線標９を追加的に表記したものとなっている。
【考案の効果】
【００２２】
請求項１記載の本考案に係るパターヘッドによれば、ヘッド本体１に対して延出片４を図２の使用姿勢にセットすると、３個の円形標８ａ・８ｂ・８ｃが前後方向に一列状に並んで見える。したがって、ヘッド本体の上面に円形標がせいぜい２個しか存在しなかった従来例に比べてパッティングの正確性を飛躍的に向上できる。
【００２３】
請求項１記載の本案パターヘッドによれば、ヘッド本体１に対して前記延出片４を図１の待機姿勢にセットした不使用状態においては、これに連動して左右の翼片５・５も、ヘッド本体１側に退避した退避姿勢にセットされるので、前記延出片４および左右の翼片５・５が、これらを必要としないときは邪魔にならない。その一方で、前記延出片４を待機姿勢から使用姿勢に切り換えると、これに連動して左右の翼片５・５も退避姿勢から突出姿勢へ自動的に切り換わるので、面倒な手間を要することなく使い勝手が良い。
【００２４】
請求項１記載の本案パターヘッドによれば、ヘッド本体１に対して前記延出片４を使用姿勢にしたとき、突出姿勢となった両翼片５・５の突出端間の最大左右幅寸法Ｔ1 （ひいては、パターヘッドの最大左右幅寸法）が、図２に示すごとく延出片４の後端とフェース６との間の最大前後長さ寸法Ｔ2 （ひいては、パターヘッドの最大前後長さ寸法）よりも大になるから、日本ゴルフ協会で定めるところのゴルフ規則にも適合し、ゴルフ競技の参加に支障を生じない。
【００２５】
請求項２記載の本考案に係るパターヘッドによれば、前記延出片４を待機姿勢にしたとき、延出片４がヘッド本体１の中空内部に退入する仕様としたので、不使用時の延出片４が他物と接触して損傷を受けたり、誤操作されたりすることをよく防止できる。
【００２６】
更に、請求項２記載の本案パターヘッドによれば、ヘッド本体１に対して延出片４を前記待機姿勢と前記使用姿勢とに位置決め保持するシフト手段を備えているので、延出片４の姿勢がとくにプレイ中において不用意に切り換わることがなく、プレイ開始時にセットした延出片４の姿勢を維持し続けられてゴルフ規則にもよく適合したものとなる。
【００２７】
請求項３記載の本考案に係るパターヘッドによれば、標示手段を要しないときは、図３に示すごとくヘッド本体１から標示カバー２を取り外しておけばよい。ヘッド本体１に標示カバー２を装着した図４の使用状態では、ヘッド本体１の上面に設けた２個の円形標８ａ・８ｂが標示カバー２の切欠き１７を介して見えるとともに、標示カバー２の後方延出部１５の上面に配した第３の円形標８ｃも３個並びの状態で見える。したがって、円形標がヘッド本体１の上面にせいぜい２個しか存在しなかった従来形態に比べて、パッティングの正確性を飛躍的に向上できる。
【００２８】
更に、請求項３記載の本案パターヘッドによれば、ヘッド本体１に標示カバー２を装着した使用状態においても、標示カバー２における両側方延出部１６・１６の延出端間の最大左右幅寸法Ｔ1 （ひいてはパターヘッドの最大左右幅寸法）が、前記フェース６と標示カバー２の後方延出部１５の後端との間の最大前後長さ寸法Ｔ2 （ひいてはパターヘッドの最大前後長さ寸法）よりも大きく設定されているので、日本ゴルフ協会で定めるところのゴルフ規則にも適合し、ゴルフ競技の参加に支障を生じない。
【００２９】
請求項４記載の本考案に係るパターヘッドによれば、標示手段を要しないときは、ヘッド本体１から標示カバー２を取り外しておけばよい。ヘッド本体１に標示カバー２を装着した図５の使用状態では、標示カバー２の主面部１４および後方延出部１５の上面に設けた３個の円形標８ａ・８ｂ・８ｃが３個並びの状態で見える。したがって、円形標がヘッド本体１の上面にせいぜい２個しか存在しなかった従来形態に比べて、パッティングの正確性を飛躍的に向上できる。
【００３０】
更に請求項４記載の本案パターヘッドによれば、ヘッド本体１に標示カバー２を装着した状態においても、標示カバー２における両側方延出部１６・１６の延出端間の最大左右幅寸法Ｔ1 （ひいてはパターヘッドの最大左右幅寸法）が、前記フェース６と標示カバー２の後方延出部１５の後端との間の最大前後長さ寸法Ｔ2 （ひいてはパターヘッドの最大前後長さ寸法）よりも大きく設定されているので、日本ゴルフ協会で定めるところのゴルフ規則にも適合し、ゴルフ競技の参加に支障を生じない。
【００３１】
請求項５記載の本考案に係るパターヘッドによれば、前述した３個の円形標８ａ・８ｂ・８ｃの並びだけでなく、これらの中心を通る直線標９も目安になるので、直線標９の前後長さが大きくなることも相まって、パッティングの正確性を期すのにより一層有利となる。
【考案を実施するための最良の形態】
【００３２】
（第１実施例）  図１および図２は請求項１、２、５記載の本考案に対応するパターヘッドの第１実施例を示しており、ヘッド本体１に打球方向（パッティングライン）を標示するための標示手段を備えている。
【００３３】
この標示手段は、ヘッド本体１に取り付けられてヘッド本体１の上面とほぼ面一状態でこれの後方に延びる延出片４と、ヘッド本体１に取り付けられてヘッド本体１の左右外側方に延びる左右一対の翼片５・５とを含む。
【００３４】
ヘッド本体１に対して延出片４は、ヘッド本体１の中空内部に退入する図１の待機姿勢と、ヘッド本体１の後方に突出する図２の使用姿勢とにわたって出退操作可能であり、ヘッド本体１に延出片４を前記待機姿勢と前記使用姿勢とにそれぞれ位置決め保持するシフト手段を備えている。
【００３５】
左右の各翼片５は、これの前方基端部がヘッド本体１に対して縦軸５ａまわりに回動自在に枢結されており、各翼片５は、ヘッド本体１の横側面に添うよう退避する図１の退避姿勢と、ヘッド本体１の左右の外側方に突出する図２の突出姿勢とにわたって出退自在である。
【００３６】
いま、延出片４をヘッド本体１の中空内部から引き出して前記待機姿勢から前記使用姿勢へと切り換え操作したとき、これに連動して左右の各翼片５・５を前記退避姿勢から前記突出姿勢に切り換えるとともに、延出片４をヘッド本体１の中空内部へ押し込んで前記使用姿勢から前記待機姿勢へと切り換え操作したとき、これに連動して左右の各翼片５・５を前記突出姿勢から前記退避姿勢に切り換える連動機構を有している。
【００３７】
図示例のシフト手段および連動機構としては、ラック・ピニオン機構を採用した。具体的には、延出片４の左右側面に形成されたラックと、各翼片５の縦軸５ａに形成されたピニオンとが噛み合っており、延出片４を前後に摺動操作することに連動して、両翼片５・５が同時にそれぞれ縦軸５ａ・５ａまわりに回動する。図１の待機状態では、延出片４はヘッド本体１の中空内部にほぼ完全に納まっており、左右の両翼片５・５はヘッド本体１の側面に添うように退避して動かない。
【００３８】
図１の待機（退避）姿勢において、本案パターヘッドは日本ゴルフ協会で定めるゴルフ規則に従い、ヘッド本体１のフェース６における最大左右幅寸法ｔ1 が、ヘッド本体１の前後長さ寸法ｔ2 よりも大きく設定されている。
【００３９】
これに倣い、図２の使用（突出）姿勢における本案パターヘッドでも、両翼片５・５の突出端間の最大左右幅寸法Ｔ1 が、使用姿勢にあるときの延出片４の後端とフェース６との間の最大前後長さ寸法Ｔ2 よりも大きく設定されている。
【００４０】
ヘッド本体１の上面中央には、前後に２個の円形標８ａ・８ｂを、延出片４の上面には１個の円形標８ｃをそれぞれ表記している。したがって、延出片４を待機姿勢にセットしたときは、図１に示すごとく２個の円形標８ａ・８ｂが見えるだけであるが、延出片４を使用姿勢に切り換えると、図２に示すごとく３個の円形標８ａ・８ｂ・８ｃが前後一列状に並んで見える。
【００４１】
各円形標８ａ・８ｂ・８ｃは、それぞれの直径がゴルフボール大に寸法設定されている。延出片４の使用姿勢において各円形標８ａ・８ｂ・８ｃは、それぞれの中心がヘッド本体１のフェース６と直交して該フェース６の中心を通る仮想線上にあって、前後方向に一定の隣接間隔を以て配されている。
【００４２】
更に、この仮想線上には、前後方向に並ぶ３個の各円形標８ａ・８ｂ・８ｃ上を通る直線標９が前後方向にわたって太線で表記されている。符号１１はシャフトを示す。
【００４３】
本案パターヘッドの不使用時は、ヘッド本体１に対して延出片４を図１の待機姿勢にセットし、これに伴い両翼片５・５を退避姿勢にしておく。プレイヤーが必要に応じて延出片４を待機姿勢から使用姿勢に切り換えると、両翼片５・５も図２の突出姿勢に切り換わる。パッティング時には、３個の円形標８ａ・８ｂ・８ｃとゴルフボールとが一列状に並ぶよう位置合わせするだけでよい。延出片４を待機姿勢と使用姿勢とのいずれにセットするかは、プレイヤーが予め決めることであり、プレイ中に姿勢変更をしないことを予測している。
【００４４】
（第２実施例）  図３および図４は本考案の請求項３、５に対応するパターヘッドの第２実施例を示す。第２実施例の前記標示手段は、ヘッド本体１の外側上面に着脱自在に装着される標示カバー２を備えている。
【００４５】
図４において標示カバー２は、ヘッド本体１の上面に被さる主面部１４と、主面部１４につながりヘッド本体１の後方に延びる後方延出部１５と、主面部１４につながりヘッド本体１の左右外側方に延びる側方延出部１６とを有するプラスチック成形品である。
【００４６】
標示カバー２の主面部１４には、これの前端から後方に向けてＵ字形状の切欠き１７が形成されており、ヘッド本体１の上面には、該当の切欠き１７を介して上方から視認できる２個の円形標８ａ・８ｂが表記されているとともに、標示カバー２の後方延出部１５の上面にも、１個の円形標８ｃが表記されている。
【００４７】
ヘッド本体１の上面に標示カバー２の主面部１４を被せ付けてビス２０で止め付けることにより、ヘッド本体１に標示カバー２を装着する。このとき、標示カバー２の前端はヘッド本体１のフェース６と面一状か、フェース６よりも後方に位置している。
【００４８】
３個の円形標８ａ・８ｂ・８ｃは、それぞれの直径がゴルフボール大に寸法設定されていること、この３個の各円形標８ａ・８ｂ・８ｃは、それぞれの中心がヘッド本体のフェース６と直交して該フェース６の中心を通る仮想線上にあって、前後方向に一定の隣接間隔を以て配されていること、標示カバー２における両側方延出部１６・１６の延出端間の最大左右幅寸法Ｔ1 が、前記フェース６と後方延出部１５の後端との間の最大前後長さ寸法Ｔ2 よりも大きく設定されていること、前記仮想線上に直線標９が表記されていることは、先の第１実施例と同様である。
【００４９】
使用方法も先の第１実施例と基本的に同じであるが、標示カバー２を要しないときは、図３に示すごとくこれをヘッド本体１から取り外しておけばよい。この場合でもヘッド本体１の上面には、２個の円形標８ａ・８ｂと直線標９とが見える。
【００５０】
標示カバー２を必要とするときは、図４に示すごとく、プレイに先立ってヘッド本体１に前述の要領で標示カバー２を取り付ければよい。
【００５１】
（第３実施例）  図５は本考案の請求項４、５に対応するパターヘッドの第３実施例を示す。この第３実施例では、標示カバー２の主面部１４に第２実施例の切欠き１７を形成せず、標示カバー２の主面部１４の外側上面に２個の円形標８ａ・８ｂを、後方延出部１５の外側上面に１個の円形標８ｃをそれぞれ第２実施例と同じ要領で直線標９と共に表記した。その他は先の第２実施例と同様であるので、同一部材には同一符号を付してその説明を省略する。
【００５２】
（その他の実施例）  第１実施例の延出片４は、ヘッド本体１に対して延出片４がヘッド本体１の上面に重なる待機姿勢と、延出片４がヘッド本体１の後方へ突出する使用姿勢とにわたって起伏揺動自在に支持されていてもよい。請求項２のシフト手段としては、ピンの類を抜き差しすることにより、ヘッド本体１に対して延出片４を待機姿勢と使用姿勢とにそれぞれロック保持する形態を採用することができる。
【図面の簡単な説明】
【００５３】
【図１】延出片が待機姿勢にある第１実施例のパターヘッドを示す平面図
【図２】延出片が使用姿勢にある第１実施例のパターヘッドを示す平面図
【図３】標示カバーが装着されていない状態での第２実施例のパターヘッドを示す平面図
【図４】標示カバーが装着された状態での第２実施例のパターヘッドを示す平面図
【図５】標示カバーが装着された状態での第３実施例のパターヘッドを示す平面図
【符号の説明】
【００５４】
１  ヘッド本体
２  標示カバー
４  延出片
５  翼片
８ａ・８ｂ・８ｃ  円形標
９  直線標
１４  標示カバーの主面部
１５  標示カバーの後方延出部
１６  標示カバーの側方延出部
１７  標示カバーの切欠き
【図１】
0003116722.tif 000003
【図２】
0003116722.tif 000004
【図３】
0003116722.tif 000005
【図４】
0003116722.tif 000006
【図５】
0003116722.tif 000007